(57)【要約】【課題】  本発明は、駆動ゴム紐の捩じりの戻り反力により回転軸を高速回転させることにより回転羽根を飛翔させる飛翔装置を提供することを課題とする。【解決手段】  回転羽根２を飛翔させるために回転軸１を支持する支持体を使用し、回転軸１の上部に回転羽根２を装着し、回転軸１の下部のフックに掛けた駆動ゴム紐３の戻りの戻り力により回転軸１を介して回転羽根２を高速回転させることにより効率が良い、安定した飛翔を実現した。【選択図】  図１
2018068799.tif 000002
【特許請求の範囲】
【請求項１】
回転により飛翔する仰角を有する回転羽根の飛翔装置であって、支持体に回転可能に設けられた回転軸を有し、前記回転軸の先端に回り止め状態で分離可能に取り付けられた回転羽根を有し、前記回転軸を回転させる駆動ゴム紐を捩じり、捩じった前記駆動ゴム紐の戻りにより前記回転軸を回転させ、回転している前記回転軸を瞬時に停止させる停止構造を有し、前記回転軸を瞬時に停止した時に前記回転軸から前記回転羽根が分離し、前記回転羽根を飛翔させることを特徴とする回転羽根の飛翔装置。
【請求項２】
前記回転軸の先端には、回転中心を挟んで少なくとも一対の突起が設けられ、前記回転羽根には、前記突起に合わせる少なくとも一対の回り止め孔が形成されていて、前記突起を前記回り止め孔にはめて、前記回転軸の回転を前記回転羽根に伝達することを特徴とする請求項１記載の回転羽根の飛翔装置。
【請求項３】
前記支持体に側板を設け、前記回転軸の中間部に引き紐の一端部を固定し、側板に設けた孔を通し延長した前記引き紐の他端部に止め棒を固定し、前記駆動ゴム紐を掛けた回転ハンドルを回転させることによって、前記駆動ゴム紐と同時に前記回転軸を回し、前記引き紐の前記止め棒が前記側板に着くまで前記引き紐を前記回転軸に巻き付け、更に回転ハンドルを回し前記駆動ゴム紐だけを所定量捩じることを特徴とする請求項１記載の回転羽根の飛翔装置。
【請求項４】
前記回転軸に巻き付けられた前記引き紐を引き伸ばし、前記回転軸を回すことにより既に捩じられている前記駆動ゴム紐を更に捩じってから、引き伸ばした前記引き紐を離して前記回転軸と前記回転羽根を高速回転させ、前記引き紐の戻りにより前記止め棒が前記側板に衝突して回転中の前記回転軸が瞬時に停止することによって、前記回転羽根を飛翔させることを特徴とする請求項３記載の回転羽根の飛翔装置。
【請求項５】
前記回転羽根の前記回り止め孔と、前記回転軸の前記突起の間に遊びを設けたことを特徴とする請求項２記載の回転羽根の飛翔装置。
【発明の詳細な説明】
【技術分野】
【０００１】
本発明は、回転羽根を駆動ゴム紐の捩じりの戻り力により高速で回転させ飛翔させる装置に関するものである。
【背景技術】
【０００２】
従来、竹トンボのような回転羽根を飛翔させる方法として、人の両方の手のひらに回転軸を挟み、手のひらをこすり合わせて回転軸を回転させ上昇・飛翔させる方法と、回転羽根の回転軸に巻いた引き紐を人の手で引っ張り回転軸を回転させ上昇・飛翔させる方法が主な方法であった（例えば特許文献１参照）。これらの方法は人によって回転軸に与える回転力やタイミングが異なるため、回転羽根の飛翔高さや方向にはバラツキが生じ、特に低学年の子供が上手に飛ばすことは簡単ではなかった。このような回転軸を回転させる場合の現状に鑑み、回転羽根を確実に効率的に飛翔させる方法が望まれている。
【先行技術文献】
【特許文献】
【０００３】
【特許文献１】特開２００９−３９４１６号公報
【発明の概要】
【発明が解決しようとする課題】
【０００４】
竹トンボのように回転力を与えて飛翔させる回転羽根の玩具において、バラつきを減らし安定的に飛翔させることが出来る方法を提供することを課題とする。
【課題を解決するための手段】
【０００５】
課題を解決するために、回転羽根に飛翔力を与える飛翔装置を考案した。本発明の飛翔装置によってバラツキの少ない安定した大きな飛翔力を回転羽根に与えることが可能となる。
【０００６】
図１は本発明の飛翔装置の概念図で側面を示したものである。この飛翔装置について以下説明する。
【０００７】
飛翔装置の支持体の中心に通した回転軸１は支持体の上部と中間部にある水平板８ａに鉛直に支持されている。回転軸１の上側端部には回転羽根２を支える突起１ａがありその下に球座９が挿入されている。回転軸１の下側端部にはフックが付いていて駆動ゴム紐３の一端部が掛けられている。駆動ゴム紐３の他端部は回転ハンドル４のフックに掛けられている。回転ハンドル４によって駆動ゴム紐３が捩じられ、駆動ゴム紐３には調整された捩じり力が保持される。保持される捩じり力は回転羽根２を飛翔させる環境条件に合わせて調整されている。回転ハンドル４は反時計方向には回らないようになっている。
【０００８】
引き紐５の一端部が回転軸１に接着され時計方向に重ね巻きされている。引き紐５の他端部には止め棒６が付いていて、回転軸１方向に引き寄せられ飛翔装置の支持体の側板７に当接されている。
【０００９】
回転羽根２の飛翔は以下のようにして行われる。回転羽根２の回り止め孔２ａに回転軸１の突起１ａを挿入して回転羽根２を回転軸１に取り付ける。引き紐５の端部を所定の長さ引き伸ばす。引き伸ばした引き紐５の端部を離すと、駆動ゴム紐３の捩じりが戻り回転軸１が高速回転し回転羽根２も高速回転する。同時に引き紐５の端部も回転軸１方向に引き寄せられ止め棒６が飛翔装置の支持体の側板７に衝突し高速回転していた回転軸１が一瞬にして停止させられる。回り止め孔２ａには遊びが出来るほど突起１ａより大きいので、回転軸１の一瞬の停止により、強く接触していた突起１ａと回り止め孔２ａが離され、回転羽根２は回転による揚力で勢いよく上方に飛翔する。
【００１０】
本発明の飛翔装置は、調整した回転力で回転羽根２を回転させることが特徴で、飛翔させる環境条件に応じて、例えば広場では大きな回転力で、室内では天井高さに合わせた小さな回転力で回転羽根を飛翔させることが出来る。回転力は駆動ゴム紐３の捩じり力に対応し、駆動ゴム紐３を太くするほど、捩じり数を多くするほど回転力は大きくなる。
【００１１】
次に本発明の飛翔装置の特徴は回転軸１の回転を一瞬にして停止させることにより回転羽根２を確実に飛翔させることである。従来の方法では、回転軸１を高速回転させることは出来ても、回転羽根２を確実に毎回飛翔させることは難しかった。回転羽根２を飛翔させるには回転軸１の回転と回転を止める微妙なタイミングを必要とした。人によって上手下手があり、同じ飛翔性能を有する回転羽根２を使用しても飛翔方向や飛翔高さ、飛翔時間が様々になるのが普通であった。本発明では、最初に設定した駆動ゴム紐３の捩じり力に対し、引き紐５の引き出す長さだけを一定にすれば、回転羽根２自体の飛翔性能に応じて、ほぼ同様な安定した飛翔力が得られる。
【発明の効果】
【００１２】
本発明による回転羽根２を機械的に回転させる飛翔装置によって、バラつきの無い安定的な回転羽根２の飛翔が楽しめる。更に回転羽根２自体が有する構造的飛翔性能を確実に最大限発揮させることが出来るようになり、より長い飛翔時間と飛翔距離を得ることが可能となった。
【図面の簡単な説明】
【００１３】
【図１】回転羽根の飛翔装置の概念図である。
【図２】実施例における回転羽根と飛翔装置の説明図である。
【図３】回転羽根の回り止め孔と回転軸の突起の飛翔前後の位置関係の説明図である。
【図４】引き紐を回転軸に巻きつける手順の説明図である。
【図５】回転羽根を飛翔させる手順の説明図である。
【発明を実施するための形態】
【００１４】
以下本発明の実施の形態を主として図２と図３に基づいて説明する。図２ａは飛翔装置の支持体の側面図で、図２ｂは飛翔装置の支持体を引き紐２０の位置から下を見た断面図である。図３は回転羽根１６の回り止め孔１７と回転軸１４の突起１５の位置関係の説明図で、図３ａは回転羽根１６の飛翔前を示し、図３ｂは飛翔時の一瞬を示したものである。
【００１５】
３枚の木製の鉛直板１１が矩形形状の木製の台座１０に鉛直にコ状に固定されている。鉛直板１１をコ状に設け残りの１面を空けているのは内部の後作業をしやすくするためである。コ状鉛直板１１の上部に上部水平板１２の３辺が固定され、その下側に中水平板１３の３辺が固定されている。引き紐２０を強い力で横方向に引く時、コ状鉛直板１１が横ブレしないように台座１０と左右の鉛直板１１の間に筋板１１ａを設け補強している。回転軸１４が上部水平板１２と中水平板１３の中心位置にある孔に通され鉛直に支持されている。
【００１６】
回転軸１４の上側端部は拡幅され２本の突起１５が設けられている。２本の突起１５が回転羽根１６の中心部の２箇所の回り止め孔１７に挿入されることにより、回転軸１４の回転が回転羽根１６に伝達されることになる。回転軸１４は太めの針金で、拡幅部は矩形断面の木製で、その中心に設けた鉛直穴に前記回転軸１４の針金が挿入され接着剤により固定されている。突起１５は拡幅部の相対面に一対の丸棒を接着剤によって固定し更にその上を糸で巻いて拡幅部と一体化したものである。ここでは前記丸棒に竹ヒゴが使われている。
【００１７】
回転軸１４の拡幅部と上部水平板１２の間の回転軸１４には球座２２が挿入され回転軸１４の回転時の摩擦を少なくしている。回転軸１４の下側端部にはフックが加工され駆動ゴム紐１８の一端部が掛けられ、駆動ゴム紐１８の他端部は回転ハンドル１９のフックに掛けられている。駆動ゴム紐１８には複数の輪ゴムが使用され、回転ハンドル１９にはクランク状に加工した針金が使用されている。
【００１８】
図４は引き紐２０を回転軸１４に巻きつける方法の説明図である。上部水平板１２と中水平板１３の間の回転軸１４に引き紐２０の一端部を接着・固定する。引き紐２０の他端部は右側の鉛直板１１に開けられた孔を通し十分の長さ延ばされ、その先端部に止め棒２１が付けられている（図４ａ参照）。ここでは、引き紐２０にはタコ糸が使用されている。
【００１９】
回転ハンドル１９を時計方向に回すと駆動ゴム紐１８と一緒に回転軸１４が回され回転軸１４に接着されていた引き紐２０が回転軸１４に設けられた幅止材２３の間に整然と重ね巻きされる（図４ｂ参照）。引き紐２０の先端に付けられていた止め棒２１が引き寄せられ鉛直板１１に衝突する（図４ｃ参照）。衝突後、回転軸１４は回転ハンドル１９を回しても回転することは出来ない。更に回転ハンドル１９を回すと駆動ゴム紐１８だけが捩じられる。多く捩じるほど回転軸１４には大きな回転力が保存される。保存された回転力は回転羽根１６を飛翔させる回転力になる。回転羽根１６を屋外で高く飛翔させる時には駆動ゴム紐１８を多く捩じり、屋内で飛翔させる場合には屋内の天井高を考慮して少なく捩じられる。
【００２０】
駆動ゴム紐１８を所定量捩じってから、回転ハンドル１９は台座１０に設けた窪み１０ａに収納され不動状態に置かれる。回転ハンドル１９を窪み１０ａに収めることにより台座１０の底面は平面が保たれる。回転羽根１６を発射させる時、底面が平らな台座１０を水平面に押し付けると飛翔装置の支持体は鉛直に直立し回転羽根１６をほぼ垂直に飛翔させることが出来る。回転羽根１６を飛翔させる時まで支持体は駆動ゴム紐１８が捩じられた状態で維持される。
【００２１】
回転羽根１６には仰角が付いていて回転することにより揚力が生じ、回転羽根１６は飛翔する。仰角が付いているため回転羽根１６の中心部は外側より厚くなっている。回転羽根１６の中心の板厚部には２個の回り止め孔１７が設けられ、この回り止め孔１７に回転軸１４の上側端部に設けられた２本の突起１５が挿入され回転力が保存されている回転軸１４と回転羽根１６が連結される。回り止め孔１７の大きさは突起１５の太さより一回り大きくなっている。
【００２２】
回転羽根１６は図５の説明図に示す以下の手順によって飛翔させられる。飛翔装置の支持体の台座１０を水平面に押さえ付け支持体を直立させておき、引き紐２０の端部を掴んで引き紐２０を静かに引き伸ばし停止させる（図５ａ参照）。急激に引き伸ばすと回転羽根１６が回転軸１４から脱落する恐れが生じる。引き紐２０の引き伸ばしにより回転軸１４は時計方向に回転し、既に所定量捩じられていた駆動ゴム紐１８が更に捩じられる。掴んでいた引き紐２０の端部を離すと捩じられていた駆動ゴム紐１８の捩じりが戻り回転軸１４は高速で反時計方向に回転し回転羽根１６を高速回転させる。高速回転する回転羽根１６には大きな揚力が生じるが、高速回転によって回転軸１４の突起１５と回転羽根１６の回り止め孔１７の間にも大きな接触摩擦が生じるため、回転羽根１６は上方へ飛翔することは出来ない（図５ｂ参照）。
【００２３】
回転軸１４の回転により引き伸ばされていた引き紐２０が回転軸１４に巻き戻され、止め棒２１は勢い良く飛翔装置の支持体の鉛直板１１に引き付けられ衝突する（図５ｃ参照）。衝突と同時に回転軸１４の高速回転は一瞬にして停止させられる。回転軸１４が一瞬にして停止させられても回転羽根１６は慣性により高速回転するため、強く接触していた突起１５と回り止め孔１７が離され（図３ｂ参照）、かつ回り止め孔１７と突起１５との間にズレを許す遊びがあるため、回転羽根１６は回転軸１４の拘束から解かれ自由になる。こうして自由になった回転羽根１６は回転による揚力により高々と飛翔することになる（図５ｃ参照）。
【００２４】
図３は回転羽根１６の飛翔前後の回転羽根１６の回り止め孔１７と回転軸１４の突起１５の位置関係とその作用を説明する平面図で、図３ａは飛翔前で、回転軸１６が高速回転中の状況を示し、回転羽根１６を回転させるため突起１５は回り止め孔１７の前面に強く押し付けられている。このため回転羽根１６に揚力が生じても飛翔出来ない。図３ｂは飛翔直前の一瞬で、高速回転中の回転軸１４が急停止された時、回転羽根１６の回転により回り止め孔１７と突起１５の接触が離され、回転羽根１６が飛翔する一瞬を示している。図３に示すように、回転羽根１６が飛翔するためには、回転羽根１６自体の高速回転と回転軸１４の一瞬の停止および回り止め孔１７と突起１５の間にズレを許す遊びが必要である。本飛翔装置の支持体に装着する回転羽根１６には、回り止め孔１７の大きさが突起１５より一回り大きくなっているものが使用される（図３参照）。
【符号の説明】
【００２５】
１：回転軸
１ａ：回転軸の突起
２：回転羽根
２ａ：回転羽根の回り止め孔
３：駆動ゴム紐
４：回転ハンドル
５：引き紐
６：引き紐の止め棒
７：支持体の側板
８ａ：支持体の水平板
８ｂ：支持体の底板
９：球座
１０：実施例１の支持体の木製台座
１０ａ：実施例１の木製台座の窪み
１１：実施例１の木製の鉛直板
１１ａ：実施例１の木製の筋板
１２：実施例１の上部水平板
１３：実施例１の中水平板
１４：実施例１の回転軸
１５：実施例１の回転軸の突起
１６：実施例１の回転羽根
１７：実施例１の回転羽根の回り止め孔
１８：実施例１の駆動ゴム紐
１９：回転ハンドル
２０：実施例１の引き紐
２１：実施例１の引き紐の止め棒
２２：実施例１の球座
２３：実施例１の幅止材
【図１】
2018068799.tif 000003
【図２】
2018068799.tif 000004
【図３】
2018068799.tif 000005
【図４】
2018068799.tif 000006
【図５】
2018068799.tif 000007